(57)【特許請求の範囲】
【請求項１】
宛先情報を含む通信プログラムに基づいて通信可能な画像通信装置において、
複数のワンタッチキーおよびまたは短縮番号に対応付けて前記通信プログラムを保存する記憶手段と、
前記宛先情報として複数の宛先と該複数の宛先に対応するグループ名称とを
前記ワンタッチキーに対応する通信プログラムに登録する登録手段と、
前記登録されたグループ名称を前記ワンタッチキーと対応付けて表示する表示手段と
を有し、
前記表示手段は、前記グループ名称の登録編集のための第１の画面と、
前記グループ名称と対応する前記通信プログラムを選択可能にする第２の画面とを切り換えて表示する
ことを特徴とする画像通信装置。
【請求項２】
宛先情報を含む通信プログラムに基づいて通信可能な画像通信装置において、
複数のワンタッチキーおよびまたは短縮番号に対応付けて前記通信プログラムを保存する記憶手段と、
前記宛先情報として複数の宛先を登録する際に該複数の宛先を含むグループを指定することにより前記ワンタッチキーに対応する通信プログラムに登録する登録手段と、
前記指定されたグループを前記ワンタッチキーと対応付けて表示する表示手段と
を有し、
前記表示手段は、前記グループを指定するための第１の画面と、
前記指定したグループと対応する前記通信プログラムを選択可能に表示する第２の画面とを切り換えて表示する
ことを特徴とする画像通信装置。
【請求項３】
前記表示手段は、前記複数の宛先をワンタッチキーと対応付けて表示する
ことを特徴とする請求項１もしくは請求項２のいずれかに記載の画像通信装置。
【請求項４】
前記短縮番号を用いて、該短縮番号に対応付けて保存される通信プログラムの宛先情報をワンタッチキーと関連付けて登録する
ことを特徴とする請求項２もしくは３に記載の画像通信装置。
【請求項５】
前記ワンタッチキーのうち、所望のワンタッチキーの入力操作を受け付ける操作手段と、
前記操作手段で入力操作された前記所望のワンタッチキーに対応する前記通信プログラムを読み出す制御手段と、
前記読み出された通信プログラムに登録される宛先情報に基づく前記複数の相手先に対して、該通信プログラムに基づいて画像を通信する通信手段
を有することを特徴とする請求項１ないし４のいずれか１つに記載の画像通信装置。
【発明の詳細な説明】
【０００１】
【発明の属する技術分野】
この発明は、相手先を含む通信プログラムに基づいて送信可能なファクシミリ装置や、このようなファクシミリ機能、複写機能及びプリンタ機能を備えた複合機などに適用して好適な画像通信装置及び画像通信方法に関する。詳しくは、送信相手先を予めグループ毎に登録し、そのグループを指定すると、そのグループに登録された相手先に同じ内容の原稿画像データが送信されるグループ通信機能を備えたものである。
【０００２】
【従来の技術】
近年、相手先を含む通信プログラムに基づいて送信可能なファクシミリ装置などの画像通信装置が使用される場合が多くなってきた。この種のファクシミリ装置に関しては、技術文献である特開平３−２７６３５６号公報に画像通信装置が開示されている。
【０００３】
この技術文献による画像通信装置１０は、図１８に示す操作パネル１を有している。その操作パネル１には液晶表示器２が設けられ、例えば、通信プログラムを登録する場合には、送信日時、送信時間、宛先の電話番号、宛先数などのメッセージが順を追って表示するようになされている。一連のメッセージに対してユーザは所定の入力キー３及び他のキー４を操作して行くと、宛先の電話番号などを追加することができる。そして、液晶表示器２には「通信ができます」などの終了メッセージが表示される。
【０００４】
また、通信プログラムを変更するとき、例えば、相手先の電話番号を変更するときには、その液晶表示器２に図１９に示すような「宛先を変更しますか」などのメッセージが表示されると共に、「１：追加」、「２：削除」、「３：送信スタート」のキー情報が１つの画面内に表示される。ユーザはこの３つのキー情報から選択をして相手先の追加や削除を行うように構成されている。
【０００５】
【発明が解決しようとする課題】
しかしながら、従来方式の画像通信装置１０によれば、「１：追加」、「２：削除」、「３：送信スタート」のキー情報が１つの画面内に表示されるので、ユーザがキー情報の選択を誤って操作するおそれがある。
【０００６】
このような場合に、通信プログラムの相手先を変更する必要がないにもかかわらず、既存の相手先の電話番号を削除してしまったり、通信プログラムに追加しなくてもよい宛先を間違って登録してしまうおそれがある。
【０００７】
また、上述の画像通信装置１０によれば、通信プログラムの相手先を追加するときに、例えば、相手方の１０桁の電話番号を入力キー３を使用して入力するように構成されている。そのため、電話番号の入力間違いが起こり易いばかりでなく、入力後の確認作業に時間を費やさなければならないという問題が生じる。
【０００８】
そこで、この発明は上述した課題を解決したものであって、通信プログラムの相手先を設定するに際して、キー情報の入力操作性を向上できるようにすると共に、入力間違いを抑制できて、しかも、確認作業を低減できるようにした画像通信装置を提供することを目的とする。
【０００９】
【課題を解決するための手段】
上記課題を解決するために、本発明に係る第１の画像通信装置は、宛先情報を含む通信プログラムに基づいて通信可能な画像通信装置において、複数のワンタッチキーおよびまたは短縮番号に対応付けてこの通信プログラムを保存する記憶手段と、宛先情報として複数の宛先とこの複数の宛先に対応するグループ名称とをこのワンタッチキーに対応する通信プログラムに登録する登録手段と、この登録されたグループ名称をワンタッチキーと対応付けて表示する表示手段とを有し、この表示手段は、グループ名称の登録編集のための第１の画面（以下、「グループ選択画面」と呼ぶ）と、このグループ名称と対応する通信プログラムを選択可能にする第２の画面（以下、「プログラム一覧表示画面」と呼ぶ）とを切り換えて表示することを特徴とするものである。
【００１０】
本発明の第１の画像通信装置によれば、表示手段は、グループ名称の登録編集のためのグループ選択画面と、このグループ名称と対応する通信プログラムを選択可能に表示するプログラム一覧表示画面とを切り換えて表示するので、ユーザがキー情報の選択を誤って操作するおそれがなくなる。従って、通信プログラムの相手先を変更する際に、既存の相手先の電話番号を削除してしまったり、通信プログラムに間違って宛先を登録してしまうおそれがなくなる。
【００１１】
本発明の第２の画像通信装置は、宛先情報を含む通信プログラムに基づいて通信可能な画像通信装置において、複数のワンタッチキーおよびまたは短縮番号に対応付けて通信プログラムを保存する記憶手段と、宛先情報として複数の宛先を登録する際にこの複数の宛先を含むグループを指定することによりワンタッチキーに対応する通信プログラムに登録する登録手段と、この指定されたグループをこのワンタッチキーと対応付けて表示する表示手段とを有し、この表示手段は、グループを指定するための第１の画面（以下、「プログラム登録／編集画面」と呼ぶ）と、指定したグループと対応する通信プログラムを選択可能に表示する第２の画面（以下、「プログラム一覧表示画面」と呼ぶ）とを切り換えて表示することを特徴とするものである。
【００１２】
本発明の第２の画像通信装置によれば、表示手段は、グループを指定するためのプログラム登録／編集画面と、指定したグループと対応する通信プログラムを選択可能に表示するプログラム一覧表示画面とを切り換えて表示するので、ユーザがキー情報の選択を誤って操作するおそれがなくなる。従って、通信プログラムの相手先を変更する際に、既存の相手先の電話番号を削除してしまったり、通信プログラムに間違って宛先を登録してしまうおそれがなくなる。
【００１７】
【発明の実施の形態】
以下、図面を参照しながら、この発明の各実施形態としての画像通信装置及び画像通信方法について説明をする。
（１）第１の実施形態
図１は、本発明の各実施形態としての第１〜第３の画像通信装置を応用した複合機１００の構成例を示すブロック図である。
【００１８】
本実施の形態では、相手先をグループにまとめた登録画面を表示する表示手段を設け、そのグループ登録画面上で、複数の相手先をグループとして登録したり、通信プログラムの相手先としてグループを指定したり、グループ登録画面から相手先の追加、削除、修正をするようにして、キー情報の入力操作性を向上できるようにしたものである。
【００１９】
本発明に係る複合機１００は、ワンタッチキー又は短縮番号の入力操作に対応した相手先を含む通信プログラムに基づいてグループ通信を行うファクシミリ機能を有したものである。このグループ通信では、例えば、本社、支社又は工場などの関連企業間で、原稿画像データの送信相手先が予めグループ単位にまとめられ、そのグループを指定することにより、そのグループに登録された相手先に同じ内容の原稿画像データが送信されるものである。
【００２０】
図１に示す複合機１００は制御手段１１を有している。この制御手段１１には操作手段１９が接続されている。この操作手段１９にはモードチェンジキー２３が設けられ、当該複合機１００における複写機能又はファクシミリ機能が切り替えられるようになされている。
【００２１】
この操作手段１９には制御手段１１を経由して表示手段２１が接続され、モードチェンジキー２３の操作に応じて、複写機能の動作条件を設定するための複写画面、及びファクシミリ機能の動作条件を設定するためのファクシミリ画面などが表示されるようになされている。この例でファクシミリ画面を選択したときは、送信相手先をグループにまとめたグループ登録画面などが表示される。そのグループ登録画面上で、複数の通信相手先を「グループ」として登録することができ、通信プログラムの相手先としてグループを指定することができる。
【００２２】
その際に、短縮番号で送信相手先を登録することができ、グループとして登録する相手先も短縮番号で登録することができる。これと共に、そのグループ登録画面から相手先の追加、削除、修正を行えるようになされている。表示手段２１の表示画面例については、図２〜図１４で説明する。
【００２３】
この制御手段１１には原稿読取手段１２が接続され、複写機能やファクシミリ機能を選択し、これらの動作条件を設定すると、その動作条件に基づいて原稿の画像が読み取られ、原稿画像データが発生される。原稿読取手段１２には自動原稿読み取り装置（スキャナ）などが使用される。この原稿読取手段１２には制御手段１１を介して画像メモリ１３が接続され、複写機能用としてコピー領域１３Ａが割り当てられ、ファクシミリ機能用としてＦＡＸ領域１３Ｂが割り当てられている。
【００２４】
このコピー領域１３Ａには、原稿読取手段１２によって読み取られた原稿画像データが主に記憶される。この例で、コピー領域１３ＡはＦＡＸ領域１３Ｂに比べて大容量のメモリ領域が割り当てられる。コピー領域１３Ａには原稿画像データの他に、プリント用の画像データが記憶される。画像メモリ１３には記憶保持動作が必要なＤＲＡＭなどを使用するとよい。
【００２５】
この画像メモリ１３の他に登録手段としての不揮発メモリ３１が制御手段１１に接続され、短縮キー登録テーブル、ワンタッチキー登録テーブル及びグループ登録テーブルが準備されている。この短縮キー登録テーブルには、短縮番号の入力操作に対応した相手先の指定を含む通信プログラムであって、相手先装置に画像送信するための通信プログラムが登録される。
【００２６】
また、ワンタッチキー登録テーブルには、ワンタッチキーの入力操作に対応した相手先の指定を含む通信プログラムであって、相手先装置に画像送信するための通信プログラムが登録される。グループ登録テーブルには複数の相手先がグループ名として登録される。この例で、不揮発メモリ３１にはＥ2ＰＲＯＭ（電気的な情報の書き込み及び消去が可能な読み出し専用メモリ）などを使用する。
【００２７】
更に、制御手段１１にはバッファメモリとしてＲＡＭ３２が制御手段１１に接続され、グループ登録画面上で登録された複数の相手先のグループ情報などが一時記憶される。この例では、ワンタッチキーあるいは短縮番号の入力操作に対応する通信プログラムの相手先としてグループ名が予め不揮発メモリ３１に登録されている場合に、制御手段１１によって、そのグループ名に対応する相手先が通信プログラムの相手先としてＲＡＭ３２に書き込まれる。
【００２８】
また、ＲＡＭ３２には通信予約管理テーブルが準備され、少なくとも、ファクシミリ時の画像データ及び読取手段１２による画像データに関する属性情報（ファイル管理情報）が制御手段１１によって作成され、この属性情報がファイル管理される。
【００２９】
例えば、画像メモリ１３に入力された画像データはページ単位で管理され、ファイル名称Ｎｏ、機能種別＃、開始時刻、終了時刻、送信相手先、親展ＩＤ、処理種別、進行状態等の項目が各ファイル毎に二次元的（テーブル状）に格納されている。
また、画像データの処理工程の進捗状況に伴い、適宜、その属性情報が更新される。例えば、ファクシミリ受信に関するファイル管理情報の構成例を示すと、機能種別が通常受信の場合には、０１：受信中、１０：受信済み／記録中、１１：記録完了済みのように更新される。また、機能種別には００１：通常通信、０１０：中継受信、０１１：親展受信などの項目に分けられている。
【００３０】
このＲＡＭ３２には制御手段１１を介在して表示手段２１が接続されるので、ＲＡＭ３２から読み出された複数の相手先のグループ情報などが表示される。従って、表示手段２１のグループ登録画面上で、複数の通信相手先を「グループ」として登録したり、その通信プログラムの相手先としてグループを指定することができる。
【００３１】
また、制御手段１１には通信手段１４が接続され、ファクシミリ機能を選択し、この動作条件を設定すると、その動作条件に基づいて所定の通信制御手順に従ってデータ通信が行われる。この例では、表示手段２１による登録情報に基づいて所定の通信手順で制御手段１１によって原稿を送信する動作が実行される。例えば、制御手段１１は、通信プログラムの相手先としてグループ名が予め登録されたワンタッチキーあるいは短縮番号の入力操作がなされた場合に、不揮発メモリ３１にグループ名に対応して登録されている相手先の通信端末に対して通信回線を介して所定の通信手順で原稿送信動作が実行される（第２の画像通信装置）。
【００３２】
この通信手段１４はネットワークコントロールユニット（網制御装置）などが設けられ、ＮＴＴなどの公衆網との間で、当該複合機１００からの発呼、不特定多数の相手方からの着呼、復旧、切断処理などの接続制御が行われる。例えば、このユニットによってリング検出が行われ、相手方が発呼した送信要求が受信される。
【００３３】
この通信手段１４には図示しない通信モデムが設けられ、受信時には、公衆網によって伝送されてきた変調信号を復調してデジタルの受信画像データに変換したり、送信時には、公衆網の周波数帯に整合するように原稿画像データを変調して変調信号に変換するようになされる。通信手段１４で受信した受信画像データは、ＦＡＸ領域１３Ｂに記憶される。
【００３４】
この通信手段１４には制御手段１１を介して復号化手段１５が接続され、受信時に、受信画像データが復号化されて伸張される。通信手段１４には制御手段１１を介して符号化手段１６が接続され、送信時に、原稿画像データが圧縮されて符号化される。
【００３５】
この制御手段１１には画像形成手段１７が接続され、複写機能又はファクシミリ機能を選択し、これらの動作条件を設定すると、その動作条件に基づいてコピー領域１３Ａに記憶された原稿画像データ、あるいは、ＦＡＸ領域１３Ｂに記憶された受信画像データなどに基づいて、記録材上に画像を形成するようになされている。画像形成手段１７は図示しない記録紙収納装置、現像器、感光体、定着器、カートリッジなどを有している。
【００３６】
続いて、操作手段１９の一例となる操作パネル９０について説明をする。図２は操作パネル９０の構成例を示す上から見た図である。図２に示す操作パネル９０は一辺の角が丸みを帯びた長方形状を有しており、ユーザが操作し易いように、当該複写機１００の原稿読取手段（図示せず）１２の手前付近の位置に取付けられている。
【００３７】
この操作パネル９０上には、少なくとも、表示手段２１及びモードチェンジキー２３が取付けられている。この例では表示手段２１には液晶表示ディスプレイ（ＬＣＤ）が使用される。この他に表示手段２１には、ＰＤＰ、電界発光ダイオードなどの平面表示素子を使用してもよく、これらの表示装置は操作パネル９０のほぼ中央に配置される。表示手段２１には、利用者の入力操作性を良くするために、タッチパネルが表示画面上に取付けられる。
【００３８】
この他に表示手段２１の左側にはワンタッチダイヤル用の押しボタンスイッチ９１がマトリクス状に配置され、ワンタッチ送信や同報通信などの特殊の通信モードを実行できるようになされている。表示手段２１の右側にはモードチェンジキー２３が設けられ、例えば、モードチェンジキー２３の操作に応じて複写画面及びファクシミリ画面が順次、表示手段２１に表示される。
【００３９】
更に、表示手段２１の右側にはモードチェンジキー２３の他に、数字の「１」〜「０」のテンキーや、「＊」キー、「＃」キーなどの電話番号入力用のキーボタン９２、チェックボタン９３、ヘルプボタン９４、アプリケーションボタン９５、プログラムボタン９６、リセットボタン９７、ストップ／クリアボタン９８、割り込みコピーボタン９９、電源スイッチ９１０、スタートボタン９１１などが配置されている。「１」〜「３」のテンキーの配置領域上には２つの発光ダイオードＬＥＤ１、ＬＥＤ２が取付けられ、ファイルやエラーを区別するような表示をできるようになされている。
【００４０】
続いて、上述の複合機１００でのファクシミリモード時の基本待機画面の表示例について説明をする。図３に示す基本待機画面Ｐ０には、「送信できます」のメッセージが表示され、その他に、「追加」キーや件数表示領域が設けられ、例えば、追加したい相手方の電話番号「０４２６−６０−９２８５」や、追加したい相手先の件数「４件」などが表示される。
【００４１】
これらの表示領域下には「宛先表」、「原稿設定」、「設定」、「予約リスト」、「原稿読込」などのタグが同一画面上に表示される。この例では各々のタグをタッチするとグレイ表示（反転表示）するようになされている。「宛先表」のタグは基本待機画面Ｐ０を宛先表待機画面Ｐ１に切替えるときに使用され、「原稿設定」のタグは待機画面を画質選択画面に切替える時に使用される。「設定」のタグは諸事項を登録するときに使用され、「予約リスト」のタグは複写機能、ファクシミリ機能又はプリンタ機能などのジョブの予約時に使用される。「原稿読込」のタグは複数枚送信時や、ＡＤＦ原稿／プラテン原稿の混載送信時等に原稿を読み込むときに使用される。
【００４２】
この例では「原稿設定」のタグをタッチした後の原稿設定画面が表示された場合を示している。これらの下方領域には「宛先表」、「テンキー」、「原稿設定」、「予約リスト」、「原稿読込」などのタグが表示される。図３の例では「原稿設定」のタグをタッチした後の「原稿設定」の項目の下位階層の画面内容が表示された場合を示している。この「原稿設定」の項目画面には、「短縮」、「リダイヤル」、「オンフック」、「トーン」、「ポーズ」、「−」、「削除」などのタグが表示される。
【００４３】
この「短縮」のタグは相手先の電話番号を短縮入力時に使用され、「リダイヤル」のタグは再送信に使用される。「オンフック」のタグは手動送信／手動受信時の回線捕捉に使用され、「トーン」のタグはパルス／トーン音の切替え時に使用される。「ポーズ」のタグは一時停止や、ダイヤルトーン検出時に使用され、「−」のタグはダイヤル入力時にダイヤルＮ０のセパレタータ（ハイフィン）として使用される。「削除」のタグは宛先入力データの１文字削除時などに使用される。
【００４４】
これらの下方領域には、「ＲＤＡＦ」、「解像度」、「画質」、「濃度」などの属性項目が表示され、「ＲＤＡＦ」の下方領域には「表紙＋両面」、「両面」、「片面」などが表示される。「解像度」の下方領域には「高精細」、「精細」、「普通」のタグが表示される。各々の表示に対応したモードで原稿を記録紙に記録できるようになされている。
【００４５】
「画質」の下方領域には「写真」、「文字写真」、「文字」などのタグが表示され、原稿の画質を設定できるようになされている。「濃度」の下方領域には「自動」、「濃く」、「普通」及び「淡く」などのタグが表示され、各々の表示に対応したコピー濃度で原稿を記録紙に記録できるようになされている。
【００４６】
続いて、基本待機画面Ｐ０の下位階層である宛先表待機画面Ｐ１の表示例について説明をする。図４に示す宛先表待機画面Ｐ１は図３に示した「宛先表」のタグをタッチした後に、表示手段２１上に表示されるものである。この宛先表待機画面Ｐ１には「送信できます」のメッセージが表示され、「宛先表」の下位階層の画面には、「グループ」、「短縮」、「リダイヤル」及び「登録」などのタグが表示される。
【００４７】
この例では「グループ」のタグに関して、例えば「コニカ」のグループとして、短縮番号「０１」には「コニカ八王子」が登録され、「０２」には「コニカ日野」が登録され、「０３」には「コニカ本社」が登録され、以下、短縮番号「１２」、「２０」、「３０」、「４０」、「４１」、「４２」に対して図４に示す名称の相手先が登録された場合を示している。このグループ画面で右側の上向き矢印及び下向き矢印は、宛先名称を検索するためのページアップ・ダウン用のタグである。上向き矢印をタッチすると、グループの宛先名称が上方向にページめくりするように表示が順次切り替わり、下向き矢印をタッチすると、そのグループの宛先名称が下方向に表示が順次切り替わるようになされている。
【００４８】
続いて、宛先表待機画面Ｐ１の下位階層である宛先登録画面Ｐ２の表示例について説明をする。図５に示す宛先登録画面Ｐ２は図４に示した宛先表待機画面中の「登録」のタグをタッチした後に、表示手段２１上に表示されるものである。この宛先登録画面Ｐ２には「宛先登録できます」及び「項目を選択してください」のメッセージが表示され、「短縮登録／編集」、「短縮一覧／検索」「プログラム登録／編集」、「プログラム一覧」、「グループ登録・編集」などのタグが表示される。
【００４９】
これらのいずれかのタグをタッチすると、以下で説明する短縮ダイヤル追加／編集画面Ｐ３、短縮ダイヤル一覧表示画面Ｐ４、短縮宛先名前検索画面Ｐ５、グループ選択画面Ｐ６、グループ宛先登録画面Ｐ７、グループ名前登録画面Ｐ８及びグループ宛先確認画面Ｐ９などの表示に切替えることができる。この宛先登録画面Ｐ２の同一画面内の右下側には「戻る」のタグが準備され、宛先登録画面Ｐ２を宛先表待機画面Ｐ１に戻すときに使用される。
【００５０】
続いて、宛先登録画面Ｐ２の下位階層である短縮ダイヤル追加／編集画面Ｐ３の表示例について説明をする。図６に示す短縮ダイヤル追加／編集画面Ｐ３は図５に示した宛先登録画面Ｐ２の「短縮登録／編集」のタグをタッチした後に、表示手段２１上に表示されるものである。
【００５１】
この短縮ダイヤル追加／編集画面Ｐ３には「短縮登録／編集できます」のメッセージが表示され、「短縮Ｎ０」のタグや、その短縮番号として「９９」が表示される。これらの下方領域には、「ダイヤルＮ０」のタグが設けられ、その右側には「０４２６−６０−９２９１」などの相手先の電話番号を表示する領域が準備されている。その下方領域には「内線」、「トーン」、「ポーズ」「−」及び「削除」などのタグが表示される。
【００５２】
更に、その下方領域には「名前」や、その例として「コニカ（株）２開発センター」などを表示する領域が準備されている。更に下方領域には「検索文字」のタグや、その例として「か」などを表示する領域が準備され、その下方領域にはひらがなの頭文字である「あ」、「か」、「さ」、「た」、「な」、「は」、「ま」、「や」、「ら」、「わ」のタグが準備され、その端には「英数字」のタグが準備されている。
【００５３】
この「検索文字」のタグをタッチすると、以下で説明する短縮宛先名前検索画面Ｐ５に表示に切替えることができる。この短縮ダイヤル追加／編集画面Ｐ３の同一画面内の右下側には「登録」及び「戻る」のタグが準備され、相手先の電話番号を短縮番号で登録するときには「登録」のタグが使用される。また、「戻る」のタグは短縮ダイヤル追加／編集画面Ｐ３を宛先登録画面Ｐ２に戻すときに使用される。
【００５４】
続いて、宛先表待機画面Ｐ１の他の下位階層である短縮ダイヤル一覧表示画面Ｐ４の表示例について説明をする。図７に示す短縮ダイヤル一覧表示画面Ｐ４は図４に示した宛先表待機画面中の「短縮一覧／検索」のタグをタッチした後に、表示手段２１上に表示されるものである。この短縮ダイヤル一覧表示画面Ｐ４には「短縮一覧」及び「短縮Ｎ０と項目を選択してください」のメッセージが表示され、「短縮Ｎ０」のタグや、その短縮番号で登録しようとする「宛先名」の表示領域が準備されている。
【００５５】
この例では「短縮Ｎ０」に関して、例えば、短縮番号「０１」には「コニカ八王子」が登録され、「０２」には「コニカ日野」が登録され、「０３」には「コニカ開発Ｇ」が登録され、以下、短縮番号「０４」、「０５」、「０６」に対して図７に示す名称の相手先が登録された場合を示している。この例で短縮番号「０７」は未登録となっている。
【００５６】
この「短縮Ｎ０」の画面で右側の上向き矢印及び下向き矢印は、宛先名称を検索するためのカーソル用のタグである。上向き矢印をタッチすると、宛先名称上を上方向にカーソルが移動し、下向き矢印をタッチすると、宛先名称上を下方向にカーソルが移動するようになされている。このカーソル用のタグの他に左下側にはページアップ・ダウン用のタグも設けられ、「宛先名」の表示画面がページめくりするようになされている。その隣には「編集」、「削除」、「検索」のタグが準備されている。
【００５７】
この「編集」のタグはカーソルで選択した短縮登録内容の修正時に使用され、「削除」のタグはカーソルで選択した短縮登録内容の削除時に使用され、「検索」のタグは「検索文字」のタグと同じ性質であり、短縮宛先名前検索画面Ｐ５の表示に切替える時などに使用される。この「検索」のタグの隣には、「戻る」のタグが準備され、短縮ダイヤル一覧表示画面Ｐ４を宛先先待機画面Ｐ１に戻すときに使用される。この例では短縮番号「０３」のコニカ２開Ｇが選択され、その部分がグレイ表示された場合を示している。
【００５８】
続いて、短縮ダイヤル一覧表示画面Ｐ４の下位階層である短縮宛先名前検索画面Ｐ５の表示例について説明をする。図８に示す短縮宛先名前検索画面Ｐ５は図７に示した短縮ダイヤル一覧表示画面Ｐ４の「検索」のタグをタッチした後に、表示手段２１上に表示されるものである。
【００５９】
この短縮宛先名前検索画面Ｐ５には「短縮名検索」及び「検索文字と項目を選択して下さい」のメッセージが表示され、その下方領域には、ひらがなの頭文字である「あ」、「か」、「さ」、「た」、「な」、「は」、「ま」、「や」、「ら」、「わ」のタグが準備され、その端には「英数字」のタグが準備されている。この下方領域には「宛先名」の表示画面に関して、例えば、短縮番号「０１」には「コニカ八王子」が登録され、「０２」には「コニカ日野」が登録され、「０３」には「コニカ本社」が登録され、短縮番号「１２」には「コニカ２開発Ｇ」が登録され、以下、「２０」、「３０」、「５０」、「８９」、「９９」、「＊１１」及び「＊３３」に対して図８に示す名称の相手先が登録された場合を示している。この例では、ひらがなの「か」のタグをタッチしたことによって、短縮番号「１２」の「コニカ２開発Ｇ」が選択され、そのタグ部分がグレイ表示された場合を示している。
【００６０】
この短縮宛先名前検索画面Ｐ５でも左下側にはページアップ・ダウン用のタグが設けられ、その他に「編集」、「削除」及び「戻る」のタグが準備されている。この「戻る」のタグは短縮宛先名前検索画面Ｐ５を短縮ダイヤル一覧表示画面Ｐ４に戻すときに使用される。
【００６１】
続いて、宛先登録画面Ｐ２の下位階層であるグループ選択画面Ｐ６の表示例について説明をする。図９に示すグループ選択画面Ｐ６はグループ登録画面の主要部を成すもので、図５に示した宛先登録画面Ｐ２の「グループ登録／編集」のタグをタッチした後に、表示手段２１上に表示されるものである。
【００６２】
このグループ選択画面Ｐ６には「グループダイヤルの登録／編集できます」及び「グループと項目を選択してください」のメッセージが表示され、「Ｎ０」、「グループ名」及び「宛先」の項目が表示される。この「Ｎ０」のタグに関しては、例えば、通し番号「０１」〜「０８」が表示され、「グループ名」に関しては、その通し番号に対応して、例えば、「コニカ（株）本社」、「八王子」、「未登録」、「未登録」・・・などが表示される。
【００６３】
この「宛先」に関しては、「コニカ（株）本社」に対応して短縮番号「０１」、「０３」、「４４」「＊２０」のグループ登録内容が表示され、「八王子」に対応して短縮番号「０１」、「３２」、「４４」「＊９９」グループ登録内容が表示される。このグループ画面で右側の上向き矢印及び下向き矢印は、グループ名に対する宛先を検索するためのカーソル用のタグである。上向き矢印をタッチすると、そのカーソルがグループ名及び宛先上を上方向にスライドし、下向き矢印をタッチすると、そのカーソルがグループ名及び宛先上を下方向にスライドするようになされている。この例ではカーソル部分がグレイ表示されて見やすくなされている。
【００６４】
この表示画面の下方領域には「宛先登録」、「名前登録」、「宛先確認」及び「戻る」のタグが設けられている。「宛先登録」のタグはグループ宛先登録するときに使用され、「名前登録」のタグはカーソルで選択したグループ名の編集や、名前入力画面に切替えるときに使用される。「宛先確認」のタグはグループ宛先を確認するときに使用される。「戻る」のタグはグループ選択画面Ｐ６を宛先登録画面Ｐ２に戻すときに使用される。
【００６５】
この例では「宛先登録」のタグをタッチすると、グループ宛先登録画面Ｐ７に表示が切り替わるようになされている。また、この例では、「未登録」のタグにカーソルを選択した場合を示しており、「宛先確認」のタグを選択することで、グループ宛先の詳細を確認できるようになされている。
【００６６】
続いて、グループ選択画面Ｐ６の下位階層であるグループ宛先登録画面Ｐ７の表示例について説明をする。図１０に示すグループ宛先登録画面Ｐ７は図９に示したグループ選択画面Ｐ６の「宛先登録」のタグをタッチした後に、表示手段２１上に表示されるものである。この例でグループダイヤルには短縮Ｎ０のみを登録することができ、最大で２００局の宛先が登録できるようになされている。
【００６７】
このグループ宛先登録画面Ｐ７には、例えば、「グループ３  （名前：未登録／宛先数４に登録する宛先を選択してください」のメッセージが表示され、「Ｎ０  順表示」及び「名前検索」の項目が表示される。「Ｎ０  順表示」のタグはグループ宛先を通し番号順に表示するときに使用され、「名前検索」のタグはグループの宛先名を検索するときに使用される。
【００６８】
この項目の下方領域には「００〜」、「５０〜」、「＊００〜」、「＊５０〜」が表示され、指定短縮番号へジャンプする際のショートカット用のタグである。
【００６９】
このショートカット用の下方領域には、例えば、グループ３の宛先として、通し番号「０１」〜「１２」に「コニカ八王子」、「コニカ日野」、「コニカ本社」・・・「コニカ２開発Ｇ」などが表示される。
【００７０】
なお、このグループ宛先登録画面Ｐ７で左下側の上向き矢印及び下向き矢印は、グループ宛先を検索するためのページアップ・ダウン用のタグである。上向き矢印をタッチすると、そのグループの宛先名を上方向にページめくりするように表示され、下向き矢印をタッチすると、そのグループの宛先名を下方向にページめくりするように表示が切替えられる。
【００７１】
このページアップ・ダウン用のタグの右側領域には「登録」及び「戻る」のタグが設けられている。「登録」はグループ宛先登録するときに使用され、「戻る」はグループ宛先登録画面Ｐ７をグループ選択画面Ｐ６に戻すときに使用される。この例では「Ｎ０  順表示」のタグをタッチした後に、グループ３の宛先として例えば「コニカ八王子」、「コニカ日野」、「コニカ本社」及び「コニカ２開発Ｇ」が選択され、その短縮番号「０１」、「０２」、「０３」、「１２」が登録された場合を示している。タッチされた各々のタグがグレイ表示される。
【００７２】
続いて、グループ宛先登録画面Ｐ７の下位階層であるグループ名前登録画面Ｐ８の表示例について説明をする。図１０に示すグループ名前登録画面Ｐ８は同図１０に示したグループ宛先登録画面Ｐ７の「名前検索」のタグをタッチした後に、表示手段２１上に表示されるものである。
【００７３】
このグループ名前登録画面Ｐ８には、上述のグループ宛先登録画面Ｐ７と同じメッセージが表示され、「名前検索」の項目がグレイ表示される。この項目の下方領域には、ひらがなの頭文字「あ」、「か」、「さ」、「た」、「な」、「は」、「ま」、「や」、「ら」、「わ」のタグが準備され、その端には「英数字」のタグが準備されている。この例では、「か」のタグをタッチすると、例えば、短縮番号「０１」の「コニカ八王子」、「０２」の「コニカ日野」、「０３」の「コニカ本社」及び「１２」の「コニカ２開発Ｇ」のタグがグレイ表示され、グループ３に登録された４件の宛先名が検索できるようになされている。
【００７４】
なお、このグループ名前登録画面Ｐ８で左下側の上向き矢印及び下向き矢印は、グループ名前を検索するためのページアップ・ダウン用のタグである。上向き矢印をタッチすると、そのグループの名前を上方向にページめくりするように表示され、下向き矢印をタッチすると、そのグループの名前を下方向にページめくりするように表示を切り替えるようになされている。
【００７５】
このページアップ・ダウン用のタグの右側領域には「登録」及び「戻る」のタグが設けられている。「登録」はグループ名前登録するときに使用され、「戻る」はグループ名前登録画面Ｐ８をグループ宛先登録画面Ｐ７に戻すときに使用される。この例では「Ｎ０  順表示」のタグをタッチした場合でも、グループ名前登録画面Ｐ８をグループ宛先登録画面Ｐ７に戻すことができる。
【００７６】
続いて、グループ選択画面Ｐ６の下位階層であるグループ宛先確認画面Ｐ９の表示例について説明をする。図１１に示すグループ宛先確認画面Ｐ９は図９に示したグループ選択画面Ｐ６の「宛先確認」のタグをタッチした後に、表示手段２１上に表示されるものである。
【００７７】
このグループ宛先確認画面Ｐ９には、例えば、「グループ３  （名前：未登録／宛先数７の登録内容を確認できます」のメッセージが表示され、「短縮Ｎ０」及び「宛先名」の項目が表示される。例えば、カーソル用のタグで指示した短縮番号「０３」のコニカ（株）２開センターがグレイ表示され、グループ３に登録されていることが確認できるようになされている。このカーソル用のタグの他に左下側にはページアップ・ダウン用のタグも設けられ、「短縮Ｎ０」の画面がページめくりするようになされている。
【００７８】
このページアップ・ダウン用のタグの右側には「削除」及び「戻る」のタグが設けられている。この「削除」のタグは、グループの名前を削除するときに使用され、「戻る」はグループ宛先確認画面Ｐ９をグループ選択画面Ｐ６に戻すときに使用される。
【００７９】
次に、実施形態としての第１の画像通信装置を応用した複合機１００のファクシミリ機能に係るグループの宛先の追加、修正、削除時の操作例について説明をする。この例では、既にモードチェンジキー２３が押下されて、基本待機画面（原稿設定）Ｐ０が表示手段２１に表示されている場合を想定する。
【００８０】
▲１▼  グループの宛先を追加する場合
まず、図３に示した基本待機画面Ｐ０の「宛先表」のタグをタッチして図４に示すような宛先表待機画面Ｐ１を表示手段２１に表示する。その後、宛先表待機画面Ｐ１内の「登録」のタグをタッチして、図５に示したような宛先登録画面Ｐ２を表示手段２１に表示する。
【００８１】
その後、宛先登録画面Ｐ２内の「グループ登録／編集」のタグをタッチして、図９に示したグループ選択画面Ｐ６を表示手段２１に表示する。そして、グループ選択画面Ｐ６でグレイ表示された未登録の領域を選択する。その後、グループ選択画面Ｐ６内の「宛先登録」のタグをタッチして、図１０に示したグループ宛先登録画面Ｐ７を表示手段２１に表示する。
【００８２】
ここで、例えば、グループ３に登録する宛先を選択するために、グループ宛先登録画面Ｐ７内の「名前検索」のタグをタッチすると、グループ名前登録画面Ｐ８が表示手段２１に表示される。グループ名前登録画面Ｐ８では例えば、短縮番号「０１」に対して「コニカ八王子」、「０２」に対して「コニカ日野」、「０３」に対して「コニカ本社」が表示され、・・・・以下び短縮番号「＊３３」に対して「（株）ＡＢＣ」が表示される。この例で、「か」のタグをタッチすると、グループ名前の候補として、例えば、短縮番号「０１」の「コニカ八王子」、「０２」の「コニカ日野」、「０３」の「コニカ本社」及び「１２」のコニカ２開Ｇがグレイ表示される。
【００８３】
グループ宛先登録画面Ｐ７で「登録」のタグをタッチすると、グループ選択画面Ｐ６に表示が切替えられる。その後、「宛先確認」のタグをタッチすると、図１１に移行して、短縮番号「０１」の「コニカ八王子」、「０２」の「コニカ日野」、「０３」の「コニカ本社」及び「１２」のコニカ２開Ｇを追加することができ、それをグループ宛先登録画面Ｐ７で確認することができる。
【００８４】
▲２▼  グループの宛先を修正する場合
上述した図４に示したような宛先登録画面Ｐ２を表示手段２１に表示する。その後、宛先登録画面Ｐ２内の「短縮登録／編集」のタグをタッチして、図６に示した短縮ダイヤル追加／編集画面Ｐ３を表示手段２１に表示する。そして、「短縮Ｎ０」として例えば「９９」を指定し、新しいダイヤル番号として、「０４２６−６０−９２９１」をテンキーを使用して入力し、「検索文字」の「か」のタグを選択して、名前「コニカ（株）２開発センター」などを登録し直す。これにより、グループの宛先を修正することができる。
【００８５】
▲３▼  グループの宛先を削除する場合
上述した図５に示すような宛先登録画面Ｐ２を表示手段２１に表示する。その後、宛先登録画面Ｐ２内の「短縮一覧／検索」のタグをタッチして、図７に示した短縮ダイヤル一覧表示画面Ｐ４を表示手段２１に表示する。そして、短縮ダイヤル一覧表示画面Ｐ４でカーソル用のタグを削除したい、例えば、短縮番号「０３」の「コニカ２開Ｇ」に合わせる。このカーソルの部分がグレイ表示されるので、その同一画面内の「削除」のタグをタッチすると、そのグレイ表示された部分の宛先を削除することができ、その後、グループ選択画面Ｐ６内の「宛先登録」のタグから、その短縮番号「０３」の「コニカ２開Ｇ」を削除することができる。
【００８６】
このように、実施形態としての第１の画像通信装置を応用した複合機１００によれば、予め階層構造の表示画面が準備されるので、表示手段２１のグループ選択画面で、複数の相手先がグループとして登録され、通信プログラムの相手先としてグループが指定できると共に、そのグループ選択画面から相手先の追加、削除、修正ができる。従って、通信プログラムの相手先を設定するに際して、キー情報の入力操作性を向上させることができる。
【００８７】
本実施の形態では、従来方式のように「１：追加」、「２：削除」、「３：送信スタート」などのキー情報が１つの画面内には表示されないので、ユーザがキー情報の選択を誤って操作するおそれがなくなる。従って、通信プログラムの相手先を変更する際に、既存の相手先の電話番号を削除してしまったり、通信プログラムに間違って宛先を登録してしまうおそれがなくなる。
【００８８】
（２）他の実施形態
図１２は他の実施形態としての第１の画像処理装置を応用した複合機１００のワンタッチ・プログラム登録画面の表示遷移例を示す図である。図１３はそのプログラム登録／編集画面Ｐ１１、Ｐ１２の表示例及びその遷移例を示す図である。図１４は他の表示例及び遷移例を示している。
【００８９】
この例では第１の実施形態の宛先登録画面Ｐ２で「プログラム登録／編集」又は「プログラム一覧」のタグを選択した場合に、ワンタッチ・プログラムキーへの登録・編集を行うための画面が図２に示した表示手段２１に表示されるものである。
【００９０】
例えば、図１２に示す宛先登録画面Ｐ２で「プログラム一覧」のタグをタッチすると、プログラム一覧表示画面Ｐ１０が表示手段２１に表示され、その宛先登録画面Ｐ２で「プログラム登録／編集」のタグをタッチした場合でも、プログラム一覧表示画面Ｐ１０を表示手段２１に表示するようになされている。このプログラム一覧表示画面Ｐ１０には「プログラム登録一覧」及び「項目を選択してください」のメッセージが表示され、「Ｎ０」のタグや、「宛先設定」、「原稿設定」、「応用設定」などの項目が準備されている。
【００９１】
この例では、登録内容の一覧表示に関して、例えば、短縮番号「０１」には「コニカ（株）本社」が登録され、「０２」には「コニカ（株）八王子」が登録され、「０３」には「コニカ（株）２開センター」が登録され、以下の短縮番号「０４」、「０５」、「０６」に対しては未登録の場合を示している。この例で短縮番号「０３」の「コニカ（株）２開センター」が選択され、その部分がグレイ表示され、その短縮番号「０３」がワンタッチ番号となる。
【００９２】
この「宛先設定」の画面で右側の上向き矢印及び下向き矢印は、宛先名称を検索するためのカーソル用のタグである。上向き矢印をタッチすると、宛先名称上を上方向にカーソルが移動し、下向き矢印をタッチすると、宛先名称上を下方向にカーソルが移動するようになされている。このカーソル用のタグの他に左下側にはページアップ・ダウン用のタグも設けられ、「宛先設定」の画面がページめくりするようになされている。その隣には「チェック」、「編集」、「削除」、「戻る」のタグが準備されている。
【００９３】
この「チェック」のタグは宛先設定内容をチェック画面に切り替えるときや、宛先の詳細を確認するときに使用される。「編集」のタグはカーソルで選択した宛先設定内容の修正時に使用され、「削除」のタグはカーソルで選択した宛先設定内容の削除時に使用され、「戻る」のタグは、直前の画面に戻すときに使用される。この例では「戻る」のタグをタッチすると、プログラム一覧表示画面Ｐ１０から宛先登録画面Ｐ２へ表示が戻るようになる。
【００９４】
続いて、プログラム一覧表示画面Ｐ１０の下位階層であるプログラム登録画面Ｐ１１の表示例について説明をする。図１３に示すプログラム登録画面Ｐ１１は図１２に示したプログラム一覧表示画面Ｐ１０の「編集」のタグをタッチした後に、表示手段２１上に表示されるものである。
【００９５】
このプログラム登録画面Ｐ１１には「プログラム登録／編集できます」及び「項目を設定して下さい」のメッセージが表示され、「プログラムＮ０」のタグや、その短縮番号として「０１」が表示される。これらの下方領域には、「宛先Ｎ０」のタグが設けられ、その右側には「０４２６−６０−９２９１」などの相手先の電話番号を表示する領域が準備されている。その下方領域には「内線」、「短縮」、「グループ」、「トーン」、「ポーズ」「−」及び「削除」などのタグが表示される。「グループ」のタグは、宛先としてグループを登録するときに使用される。「内線」、「短縮」、「トーン」、「ポーズ」「−」及び「削除」については第１の実施形態で説明した通りである。
【００９６】
更に、その下方領域には「名前」のタグや、その例として「コニカ（株）２開発センター」などを表示する領域が準備されている。更に下方領域には「原稿設定」のタグや、「応用通信モード設定」などのタグが準備されている。
【００９７】
この「原稿設定」のタグは、第１の実施形態の基本待機画面（原稿設定）Ｐ０で説明した「原稿設定」と同じ内容であり、この「原稿設定」のタグをタッチすると、「ＲＤＡＦ」、「解像度」、「画質」、「濃度」などの属性が表示され、各々の表示に対応したモードで原稿を設定することができる。
【００９８】
また、「応用通信モード設定」のタグは、「２in１送信」、「ページ連写送信、「枠消し送信」、「混載原稿送信」、「タイマー送信」、「ポーリング送信」、「原稿枚数設定送信」、「海外通信モード送信」又は「ＥＣＭオフ送信」などの特殊な送信方法を行うときに使用される。この例でも、タッチされた項目がグレイ表示される。
【００９９】
これらの下方領域には「チェック」、「登録」及び「戻る」のタグが準備されており、「登録」又は「戻る」のタグをタッチすると、宛先登録画面Ｐ２に表示が戻るようになされている。従って、宛先登録画面Ｐ２と、プログラム一覧表示画面Ｐ１０と、プログラム登録画面Ｐ１１とは循環表示（ローテーション）するように表示手段２１に表示される。
【０１００】
続いて、プログラム登録画面Ｐ１１の下位階層である原稿設定に係るプログラム登録画面Ｐ１２の表示例について説明をする。図１３に示す原稿設定に係るプログラム登録画面Ｐ１２は同図に示したプログラム登録画面Ｐ１１の「原稿設定」のタグをタッチした後に、表示手段２１上に表示されるものである。
【０１０１】
このプログラム登録画面Ｐ１２には上述と同じメッセージが表示されるが、「原稿設定」のタグの内容が表示される。「ＲＤＡＦ」の下方領域には「表紙＋両面」、「両面」、「片面」などのタグが表示される。「解像度」の下方領域には「高精細」、「精細」、「普通」などのタグが表示される。各々の表示に対応したモードで原稿を記録紙に記録できるようになされている。
【０１０２】
この「画質」の下方領域には「写真」、「文字写真」、「文字」などのタグが表示され、原稿の画質を設定できるようになされている。「濃度」の下方領域には「自動」、「濃く」、「普通」及び「淡く」などのタグが表示され、各々の表示に対応したコピー濃度で原稿を記録紙に記録できるようになされている。このワンタッチプログラム登録画面からも、各々の表示に対応したモードで原稿を設定することができる。
【０１０３】
このプログラム登録画面Ｐ１２の右下側には「キャンセル」及び「設定」のタグが準備されている。「キャンセル」又は「設定」のタグをタッチすると、プログラム登録画面Ｐ１２から１つ前のプログラム登録画面Ｐ１１に表示が戻るようになされている。
【０１０４】
続いて、プログラム登録画面Ｐ１１の他の下位階層である応用通信モード設定に係るプログラム登録画面Ｐ１３の表示例について説明をする。図１４に示す応用通信モード設定に係るプログラム登録画面Ｐ１３は同図に示したプログラム登録画面Ｐ１１の「応用通信モード設定」のタグをタッチした後に、表示手段２１上に表示されるものである。
【０１０５】
このプログラム登録画面Ｐ１３には「プログラム登録／編集できます」及び「応用通信モードを設定して下さい」のメッセージが表示され、「２in１送信」、「ページ連写送信」、「枠消し送信」、「混載原稿送信」、「タイマー送信」、「ポーリング送信」、「原稿枚数設定送信」、「海外通信モード送信」又は「ＥＣＭオフ送信」などのタグが表示される。「２in１送信」のタグは２つの原稿を１つにまとめて送信する２in１送信のオン・オフを設定するときに使用され、「ページ連写送信」のタグは、ページ連写モードの選択画面に切替えるときに使用される。
【０１０６】
この「枠消し送信」のタグは、原稿の枠消し送信の選択画面に切り替えるときに使用され、「混載原稿送信」のタグは種々の大きさの原稿を取り混ぜて送信する混載原稿モードのオン・オフを設定するときに使用される。「タイマー送信」のタグは通信開始時刻設定画面に切替えるときに使用され、「ポーリング送信」のタグはポーリング受信モードのオン・オフを設定するときに使用される。「原稿枚数設定送信」のタグは原稿枚数設定画面に切替えるときに使用され、「海外通信モード送信」のタグは海外通信モードのオン・オフを設定するときに使用される。「ＥＣＭオフ送信」のタグはＥＣＭのオン・オフの設定するときに使用される。
【０１０７】
この例では「２in１送信」のタグがタッチされ、その部分がグレイ表示された場合を示している。このプログラム登録画面Ｐ１４の右下側には「キャンセル」及び「設定」のタグが準備されている。「キャンセル」又は「設定」のタグをタッチすると、プログラム登録画面Ｐ１４からプログラム登録画面Ｐ１１へ表示が戻るようになされている。
【０１０８】
次に、第２の実施形態としての画像通信装置を応用した複合機１００のファクシミリ機能に係るワンタタッチプログラム登録時の操作例について説明をする。この例でも、既にモードチェンジキー２３が押下されて、基本待機画面（原稿設定）Ｐ０が表示手段２１に表示されている場合を想定する。そして、グループの宛先に短縮番号「０３」の「コニカ（株）２開センター」をワンタッチ・プログラム登録する場合について説明する。
【０１０９】
まず、第１の実施形態と同様にして、図１２に示したような宛先登録画面Ｐ２を表示手段２１に表示する。その後、宛先登録画面Ｐ２内の「プログラム一覧表」又は「プログラム登録／編集」のタグをタッチして、同図に示したプログラム登録一覧表示画面Ｐ１０を表示手段２１に表示する。
【０１１０】
例えば、プログラム登録一覧表示画面Ｐ１０でグレイ表示されたワンタイッチ番号「０３」の「コニカ（株）２開センター」を選択する。その後、プログラム登録一覧表示画面Ｐ１０内の「編集」のタグをタッチして、図１３に示したプログラム登録／編集画面Ｐ１１を表示手段２１に表示する。
【０１１１】
このプログラム登録／編集画面Ｐ１１内で、プログラムＮ０として「０１」、宛先Ｎ０として「０４２６ー６０ー９２９１」が登録される。名前については「コニカ（株）２開センター」が登録される。必要に応じて、原稿設定や、応用通信モードを設定することができる。この原稿設定モードに切替える場合には、プログラム登録／編集画面Ｐ１１で「原稿設定」のタグをタッチする。これにより、図１３に示したプログラム登録画面Ｐ１３が表示手段２１に表示される。
【０１１２】
また、応用通信モード設定に切替える場合には、プログラム登録／編集画面Ｐ１１で「応用通信モード設定」のタグをタッチする。これにより、図１４に示したプログラム登録画面Ｐ１４が表示手段２１に表示される。
【０１１３】
従って、ユーザは宛先にグループＮ０を登録する場合などにおいて、ワンタッチで宛先を選択できるので、各々のモードに関して複写機能や、ファクシミリ機能などの動作条件を従来方式に比べてスピーディに、しかも、最適に設定することができる。
【０１１４】
（３）第２の画像通信装置を応用した複合機
図１５〜図１７は第２の画像通信装置を応用した複合機１００の動作例を示すフローチャートである。この例では、登録情報に基づく所定の通信手順で、制御手段１１によって原稿を送信する動作が実行される場合であって、通信プログラムの相手先としてグループ名が予め登録されたワンタッチキー９１あるいは短縮キーの入力操作がなされた場合に、不揮発メモリ３１にグループ名に対応して登録されている相手先の通信端末に対し通信回線を介して所定の通信手順で原稿画像が送信される場合を想定する。
【０１１５】
これを前提にして、図１５に示すフローチャートのステップＡ１で短縮キーが押下されたか否かが制御手段１１によって検出される。短縮キーが押下された場合には、ステップＡ２に移行する。ステップＡ２では不揮発メモリ３１に登録されている対応相手先が制御手段１１によってＲＡＭ３２にセットされる。その後、ステップＡ３に移行してオートリセットタイマが起動される。このタイマセットは一定時間経過後に原稿画像を相手方装置に自動送信するためである。
【０１１６】
そして、ステップＡ４でユーザによってスタートキー９１１が押下されるのを待つ。スタートキー９１１が押下された場合には、図１６に示すフローチャートのステップＡ１３に移行する。ステップＡ１３ではＲＡＭ３２の通信プログラムが制御手段１１によって不揮発メモリ３１の通信管理ファイルに追加される。以後、この対応相手先の登録情報を利用するためである。
【０１１７】
その後、ステップＡ１４に移行してＲＡＭ３２の通信プログラムが制御手段１１によって消去され初期化される。そして、ステップＡ１５に移行して通信予約管理テーブルの通信時刻に空白ファイルがあるか否かが制御手段１１によって検索される。このテーブルに空白ファイルが有る場合には、ステップＡ１６に移行して通信予約管理テーブルの通信時刻の空白ファイルに現在時刻がセットされる。最上位のファイルから原稿画像を自動送信するためである。
【０１１８】
上述のステップＡ１５で通信予約管理テーブルの通信時刻欄に空白ファイルが無い場合及びステップＡ１６で通信時刻の空白ファイルに現在時刻をセットした場合には、ステップＡ１７に移行してＲＡＭ３２で通信時刻の早いものから順にファイルが並び替えられる。その後、ステップＡ１８に移行して最上位のファイルの通信時刻が現在時刻に到達したか否かが制御手段１１によって検出される。最上位のファイルの通信時刻が現在時刻に到達した場合には、ステップＡ１９に移行して通信予約管理テーブルの最上位のファイルの相手先に対応する通信プログラムでＦＡＸ送信が実行される。このとき、相手先の通信端末に対して通信回線を介して所定の通信手順で通信手段１４によって原稿原稿が自動送信される。
【０１１９】
その後、図１７に示すフローチャートのステップＡ２０に移行して、ＦＡＸ送信が成功したか否かが制御手段１１によって検出される。そのＦＡＸ送信が成功した場合には、ステップＡ２２に移行して通信予約管理テーブルから最上位のファイルが削除される。そして、ステップＡ２３に移行して通信予約管理テーブルに残りのファイルがまだ有るかが制御手段１１によって検出される。通信予約管理テーブルにファイルがまだある場合にはステップＡ１８に戻って、そのファイルの通信時刻が現在時刻に到達したか否かが検出される。以下、ステップＡ１９〜ステップＡ２３を実行して通信予約管理テーブルに登録されたファイルに基づいてＦＡＸ送信が逐次実行される。
【０１２０】
なお、ステップＡ２０で送信を失敗した場合はステップＡ２１に移行して、通信予約管理テーブルの最上位のファイルの通信時刻にリダイヤルタイムが制御手段１１によって加えられ、セットし直される。その後、図１６に示すフローチャートのステップＡ１７に戻って、最上位のファイルの通信時刻が現在時刻に到達したか否かが検出される。以下、ステップＡ１８〜ステップＡ２２を実行して通信予約管理テーブルに登録されたファイルに基づいてＦＡＸ送信が通信手段１４によって実行される。
【０１２１】
また、上述した図１５に示すフローチャートのステップＡ４でスタートキー９１１が押下されない場合にはステップＡ１１に移行してオートリセット時間がタイムアップしたか否かが制御手段１１によって検出される。このオートリセット時間がタイムアップした場合には、図１７に示すフローチャートのステップＡ２５に移行してＲＡＭ３２の通信プログラムが制御手段１１によって消去され初期化された後に、ファクシミリ送信処理がエラー終了される。
【０１２２】
更に、図１５に示すフローチャートのステップＡ１で短縮キーが押下されない場合はステップＡ５に移行してワンタッチキー９１が押下されたかを検出する。このワンタッチキー９１が押された場合には、ステップＡ６に移行して不揮発メモリ３１に登録されている通信プログラムがＲＡＭ３２にセットされる。その後、ステップＡ７に移行してワンタッチタイマが起動される。そして、ステップＡ８でストップキー９８が押下されるか否かが制御手段１１によって監視される。ストップキー９８が押下された場合には、ステップＡ２５に移行して、ＲＡＭ３２の通信プログラムが制御手段１１によって消去され初期化された後に、ファクシミリ送信処理がエラー終了する。
【０１２３】
また、ステップＡ８でストップキー９８が押下されない場合には、ステップＡ９に移行してワンタッチキー９１の入力操作後の一定時間が経過（タイムアップ）したか否かが制御手段１１によって検出される。このワンタッチキー操作後の所定時間が経過しない場合にはステップＡ８に戻ってストップキー９８の押下が監視される。
【０１２４】
従って、ステップＡ９でワンタッチキー９１の操作後の所定時間が経過した場合にはステップＡ１０に移行して、相手先にグループ名が設定されているかが制御手段１１によって検出される。相手先にグループ名が設定されている場合には、ステップＡ１１に移行して不揮発メモリ３１のグループ登録テーブルに同一のグループ名のファイルがあるかを検出する。そのグループ登録テーブルに同一のグループ名のファイルが無い場合には、ステップＡ２５に移行して、ＲＡＭ３２の通信プログラムが制御手段１１によって消去され初期化された後に、ファクシミリ送信処理がエラー終了する。
【０１２５】
また、ステップＡ１１でそのグループ登録テーブルに同一のグループ名のファイルがある場合には、ステップＡ１２に移行して同一ファイルのグループメンバとして登録されている相手先が、制御手段１１によってＲＡＭ３２のグループ名と置換される。その後、図１６に示すフローチャートのステップＡ１３に移行する。従って、ステップＡ１３ではＲＡＭ３２の通信プログラムが不揮発メモリ３１の通信管理ファイルに追加される。
【０１２６】
その後、ステップＡ１４に移行してＲＡＭ３２の通信プログラムが制御手段１１によって消去され初期化される。そして、ステップＡ１５に移行して通信予約管理テーブルの通信時刻に空白ファイルがあるかが制御手段１１によって検索される。このテーブルに空白ファイルが有る場合には、ステップＡ１６に移行して通信予約管理テーブルの通信時刻の空白ファイルに現在時刻がセットされる。
【０１２７】
上述のステップＡ１５で通信予約管理テーブルの通信時刻欄に空白ファイルが無い場合及びステップＡ１６で通信時刻の空白ファイルに現在時刻をセットした場合には、ステップＡ１７に移行して最上位のファイルの通信時刻が現在時刻に到達したか否かが制御手段１１によって検出される。最上位のファイルの通信時刻が現在時刻に到達した場合には、ステップＡ１９に移行して通信予約管理テーブルの最上位のファイルの相手先に対応する通信プログラムで通信手段１４を介してＦＡＸ送信が実行される。
【０１２８】
その後、図１７に示すフローチャートのステップＡ２０に移行して、ＦＡＸ送信が成功したか否かが検出される。そのＦＡＸ送信が成功した場合には、ステップＡ２２に移行して通信予約管理テーブルから最上位のファイルが制御手段１１によって削除される。ステップＡ２０で送信を失敗した場合はステップＡ２１に移行して、通信予約管理テーブルの最上位のファイルの通信時刻にリダイヤルタイムが制御手段１１によって加えられ、セットし直される。その後、図１６に示すフローチャートのステップ１７に戻って、最上位のファイルの通信時刻が現在時刻に到達したか否かが検出される。以下、ステップＡ１８〜ステップＡ２２を実行して通信予約管理テーブルに登録されたファイルに基づいてＦＡＸ送信が実行される。
【０１２９】
従って、そのＦＡＸ送信が成功した場合には、図１７に示すフローチャートのステップＡ２２に移行して通信予約管理テーブルから最上位のファイルが削除される。そして、ステップＡ２３に移行して通信予約管理テーブルの残りのファイルが全部終了するまで、ＦＡＸ送信が逐次実行される。
【０１３０】
このように、本実施の形態としての第２の画像通信装置を応用した複合機１００によれば、通信プログラムの相手先としてグループ名が予め登録されたワンタッチキー９１あるいは短縮番号が入力操作された場合に、グループ名に対応して不揮発メモリ３１に登録されている相手先の通信端末に対して通信回線を介して所定の通信手順で制御手段１１によって原稿送信動作が実行されるので、１回のワンタッチキー９１あるいは短縮番号の入力操作によって、画像グループ登録された複数の相手方装置に原稿を逐次送信することができる。従って、同報通信などを行う際の送信時の入力手間を大幅に省くことができる。
【０１３１】
また、各実施の形態によれば、通信プログラムに基づいて送信される相手先が短縮番号で指定できるので、通信プログラムの相手先を追加するときなどにおいて、既に登録された相手方の短縮ダイヤルをそのまま有効に活用できる（第３の画像通信装置）。従って、相手方の１０桁の電話番号などの入力手間が、２桁の短縮番号を入力する手間に大幅に省ける。また、通信プログラムの相手先を設定するに際して、入力間違いを抑制することができ、しかも、グループの宛先の確認作業を低減することができる。
【０１３２】
この実施形態では画像通信装置に関して、複写機能及びファクシミリ機能を備えた複合機１００について説明したが、これに限られることはなく、単に通信プログラムに基づいて送信可能なファクシミリ装置のみの場合や、複写機能、ファクシミリ機能及びプリンタ機能の３つの機能のみを備えた複合機であっても、同様な効果が得られる。
【０１３３】
【発明の効果】
以上説明したように、本発明の第１の画像通信装置によれば、登録されたグループ名称をワンタッチキーと対応付けて表示する表示手段を有し、この表示手段は、グループ名称の登録編集のためのグループ選択画面と、このグループ名称と対応する通信プログラムを選択可能にするプログラム一覧表示画面を切り換えて表示するものである。
【０１３４】
この構成によって、グループ名称の登録編集を行うときにはグループ選択画面を表示でき、このグループ名称と対応する通信プログラムを選択するときはプログラム一覧表示画面を表示できるので、ユーザがキー情報の選択を誤って操作するおそれがなくなる。従って、通信プログラムの相手先を変更する際に、既存の相手先の電話番号を削除してしまったり、通信プログラムに間違って宛先を登録してしまうおそれがなくなる。
【０１３５】
本発明の第２の画像通信装置によれば、指定されたグループをこのワンタッチキーと対応付けて表示する表示手段を有し、この表示手段は、グループを指定するためのプログラム登録／編集画面と、指定したグループと対応する通信プログラムを選択可能に表示するプログラム一覧表示画面とを切り換えて表示するものである。
【０１３６】
この構成によって、グループを指定するときはプログラム登録／編集画面を表示でき、指定したグループと対応する通信プログラムを選択するときはプログラム一覧表示画面を表示できるので、ユーザがキー情報の選択を誤って操作するおそれがなくなる。従って、通信プログラムの相手先を変更する際に、既存の相手先の電話番号を削除してしまったり、通信プログラムに間違って宛先を登録してしまうおそれがなくなる。
【図面の簡単な説明】
【図１】本発明の各実施形態としての第１〜第３の画像通信装置を応用した複合機１００の構成例を示すブロック図である。
【図２】その複合機１００の操作パネル９０の構成例を示す上面図である。
【図３】そのファクシミリ機能選択時の基本待機画面（原稿設定）Ｐ０の表示例を示すイメージ図である。
【図４】その宛先表待機画面Ｐ１の表示例を示すイメージ図である。
【図５】その宛先登録画面Ｐ２の表示例を示すイメージ図及びその状態遷移図である。
【図６】その短縮ダイヤル追加／編集画面Ｐ３の表示例を示すイメージ図及びその状態遷移図である。
【図７】その短縮ダイヤル一覧表示画面Ｐ４の表示例を示すイメージ図及びその状態遷移図である。
【図８】短縮宛先名前検索画面Ｐ５の表示例を示すイメージ図である。
【図９】そのグループ選択画面Ｐ６の表示例を示すイメージ図及びその状態遷移図である。
【図１０】そのグループ宛先登録画面Ｐ７及びそのグループ名前登録画面Ｐ８の表示例を示すイメージ図である。
【図１１】そのグループ宛先確認画面Ｐ９の表示例を示すイメージ図及びその状態遷移図である。
【図１２】他の実施形態としての第１の画像通信装置を応用した複合機１００のワンタッチ・プログラム登録画面の表示遷移例を示すイメージ図である。
【図１３】そのプログラム登録／編集画面Ｐ１１の表示例及びその下位階層のプログラム登録／編集画面Ｐ１２の遷移例を示すイメージ図である。
【図１４】その他の下位階層のプログラム登録／編集画面Ｐ１３の表示例及び他の遷移例を示すイメージ図である。
【図１５】実施形態としての第２の画像通信装置を応用した複合機１００の動作例（その１）を示すフローチャートである。
【図１６】実施形態としての第２の画像通信装置を応用した複合機１００の動作例（その２）を示すフローチャートである。
【図１７】実施形態としての第２の画像通信装置を応用した複合機１００の動作例（その３）を示すフローチャートである。
【図１８】従来方式の画像通信装置１０の操作パネル１の構成例を示す上面図である。
【図１９】その液晶表示器２の表示例を示すイメージ図である。
【符号の説明】
１１・・・制御手段、１２・・・原稿読取手段、１３・・・画像メモリ（記憶手段）、１４・・・通信手段、１５・・・復号化手段、１６・・・符号化手段、１７・・・画像形成手段、１９・・・操作手段、２１・・・表示手段、２３・・・モードチェンジキー、９０・・操作パネル、１００・・・複合機
【図１】
0003678021.tif 000002
【図２】
0003678021.tif 000003
【図３】
0003678021.tif 000004
【図４】
0003678021.tif 000005
【図５】
0003678021.tif 000006
【図６】
0003678021.tif 000007
【図７】
0003678021.tif 000008
【図８】
0003678021.tif 000009
【図９】
0003678021.tif 000010
【図１０】
0003678021.tif 000011
【図１１】
0003678021.tif 000012
【図１２】
0003678021.tif 000013
【図１３】
0003678021.tif 000014
【図１４】
0003678021.tif 000015
【図１５】
0003678021.tif 000016
【図１６】
0003678021.tif 000017
【図１７】
0003678021.tif 000018
【図１８】
0003678021.tif 000019
【図１９】
0003678021.tif 000020